(57)【要約】【課題】貼付け部２および吊下げ部３を同一材料から構成し、安価に製造可能であるとともに、患者との間の各種の医薬品情報を大量に記憶し、医薬品関連の事故防止に役立てることができ、とくに病院の大部屋などで使用して、複数の患者およびその使用する医薬品の判別に好適な吊下げラベルを提供すること。【解決手段】非接触でデータの書込みおよび読取りが可能なＲＦＩＤタグ５を貼付け部２ではなく、吊下げ部３に取り付けておくことに着目したもので、医薬品用容器に貼り付け可能な貼付け部２と、貼付け部２に一体に形成するとともに吊下げ用フックに引っ掛けて医薬品用容器を吊り下げ可能とする吊下げ部３と、を有し、医薬品に間する医薬品情報を記憶しているとともに、医薬品情報をＲＦＩＤリーダーによって読み取り可能としたＲＦＩＤタグ５を、吊下げ部３に取り付けてあることを特徴とする。【選択図】図１
2008109965.tif 000002
【特許請求の範囲】
【請求項１】
液体の医薬品を容れるための医薬品用容器に貼り付けてこの医薬品用容器を吊下げ用フックに吊り下げるための吊下げラベルであって、
前記医薬品用容器に貼り付け可能な貼付け部と、
この貼付け部に一体に形成するとともに前記吊下げ用フックに引っ掛けて前記医薬品用容器を吊り下げ可能とする吊下げ部と、
を有し、
前記医薬品に関する医薬品情報を記憶しているとともに、この医薬品情報をＲＦＩＤリーダーによって読み取り可能としたＲＦＩＤタグを、前記吊下げ部に取り付けてあることを特徴とする吊下げラベル。
【請求項２】
前記医薬品情報は、
前記医薬品の名称や属性を特定する特定情報、前記医薬品を使用する患者の認識情報、およびこの患者の前記医薬品に対するアレルギー情報その他の関連情報、の少なくともひとつを含むとともに、
これを前記ＲＦＩＤタグに書き込み可能としたことを特徴とする請求項１記載の吊下げラベル。
【請求項３】
前記医薬品情報を作業者が視認可能なように表示するための情報表示領域を、前記貼付け部に形成したことを特徴とする請求項１記載の吊下げラベル。
【発明の詳細な説明】
【技術分野】
【０００１】
本発明は吊下げラベルにかかるもので、とくに医療分野において医薬ビンや点滴袋などの医薬品用容器を逆さに吊り下げて点滴を行うために、これらの医薬品用容器に貼り付ける吊下げラベルに関するものである。
【背景技術】
【０００２】
従来、点滴のために使用される吊下げ具としては、医薬品用容器を吊り下げるための樹脂製の吊下げ部分と、医薬品や患者などに関する情報を表示するための紙製の情報表示部分と、を有しているものがあるが、異なった材料を組み合わせているために、とくに最近におけるゴミの分別回収システムにはそぐわないという問題がある。
したがって、吊下げ部分および情報表示部分をともに同一の材料から構成し、双方の機能を備えた吊下げラベルが製品化されている。
【０００３】
たとえば、特許文献１の吊り具付ラベルのように、吊下げ部分を円弧状に形成し、さらに、ラベルを二層化することにより、吊下げ時の耐久性を保持したものがあるが、ラベルの構成を二層にしなければならず、構造が複雑でコストアップを避けられないという問題がある。
【０００４】
さらに、医薬品を使用する患者に対して医薬品を取り違える作業ミスなどによる医薬品関連の医療事故を防止対策として、当該ラベルに必要な量の情報（医薬品情報）を確実に表示するとともに迅速かつ確実に読み取って、作業の確実性ないし正確性を確保することが必要とされている。
また、複数人の患者用の大部屋では、患者一人一人の認識情報を確認するために時間がかかるとともに、患者および医薬品の誤認が起きかねないという問題もあって、確認作業の簡略化も要請されている。
【０００５】
【特許文献１】特開２００５−２０６１９１号公報
【発明の開示】
【発明が解決しようとする課題】
【０００６】
本発明は以上のような諸問題にかんがみなされたもので、貼付け部および吊下げ部を同一材料から構成し、安価に製造可能な吊下げラベルを提供することを課題とする。
【０００７】
また本発明は、患者との間の各種の医薬品情報を大量に記憶し、医薬品関連の事故防止に役立てることができる吊下げラベルを提供することを課題とする。
【０００８】
また本発明は、とくに病院の大部屋などで使用して、複数の患者およびその使用する医薬品の判別に好適な吊下げラベルを提供することを課題とする。
【課題を解決するための手段】
【０００９】
すなわち本発明は、非接触でデータの書込みおよび読取りが可能なＲＦＩＤタグ（Ｒａｄｉｏ  Ｆｒｅｑｕｅｎｃｙ  Ｉｄｅｎｔｉｆｉｃａｔｉｏｎ技術によるタグ）を貼付け部ではなく、吊下げ部に取り付けておくことに着目したもので、液体の医薬品を容れるための医薬品用容器に貼り付けてこの医薬品用容器を吊下げ用フックに吊り下げるための吊下げラベルであって、上記医薬品用容器に貼り付け可能な貼付け部と、この貼付け部に一体に形成するとともに上記吊下げ用フックに引っ掛けて上記医薬品用容器を吊り下げ可能とする吊下げ部と、を有し、上記医薬品に間する医薬品情報を記憶しているとともに、この医薬品情報をＲＦＩＤリーダーによって読み取り可能としたＲＦＩＤタグを、上記吊下げ部に取り付けてあることを特徴とする吊下げラベルである。
【００１０】
上記医薬品情報は、上記医薬品の名称や属性を特定する特定情報、上記医薬品を使用する患者の認識情報、およびこの患者の上記医薬品に対するアレルギー情報その他の関連情報、の少なくともひとつを含むとともに、これを上記ＲＦＩＤタグに書き込み可能とすることができる。
【００１１】
上記医薬品情報を作業者が視認可能なように表示するための情報表示領域を、上記貼付け部に形成することができる。
【発明の効果】
【００１２】
本発明による吊下げラベルにおいては、非接触でデータの書込みおよび読取りが可能なＲＦＩＤタグを吊下げ部に取り付けておくようにしたので、ＲＦＩＤタグと液体の医薬品との間の相互作用による電波障害ないしは交信特性の低下を回避しつつ、大量のデータ（医薬品を特定するために必要な医薬品の名称や属性を特定する特定情報、医薬品を使用する患者の認識情報やアレルギー情報その他の関連情報などを含む医薬品情報）を当該吊下げラベルに書き込んでおくことができる。
したがって、ＲＦＩＤリーダーを用いることにより、ＲＦＩＤタグからこれらの医薬品情報を簡単かつ迅速に読み取って、データの確認作業ないし照合作業を実行可能であり、患者と点滴液との関連、たとえば患者のアレルギーや点滴液との合併誘発の有無などの照合確認を瞬時に行うことができるため、病院内での医薬品関連事故防止に役立てることができる。
とくに、複数人の患者が収容されている大部屋では、非接触で複数のデータを一度に読み取って確認することが可能となり、確認照合作業の効率化および総合的な処理を図ることができる。
【発明を実施するための最良の形態】
【００１３】
本発明は、ＲＦＩＤタグ（いわゆるＩＣタグ）を吊下げ部に取り付けておくことにより、液体の医薬品によるＲＦＩＤタグの交信特性の低下などの悪影響を受けずに、患者および医薬品の確認照合作業を確実かつ迅速に実行可能な吊下げラベルを実現した。
【実施例】
【００１４】
つぎに本発明の実施例による吊下げラベルを図１ないし図４にもとづき説明する。
図１は、吊下げラベル１の平面図、図２は、吊下げラベル１の裏面図である。
吊下げラベル１は、全体を、たとえば厚さ１７５μｍ程度の透明な合成樹脂材料からこれを形成してあるとともに、貼付け部２と、吊下げ部３と、を有し、貼付け部２には情報表示領域４を設け、また、吊下げ部３にはＲＦＩＤタグ５（図３）を取り付けてある。
貼付け部２を医薬品用容器Ｍ（図４）に貼り付け可能とし、吊下げ部３を吊下げ用フックＨ（図４）に引っ掛け可能とする。
【００１５】
貼付け部２は、横に細長の矩形状であって、図２に示すように、貼付け部２の裏面には粘着剤層６を形成して医薬品用容器Ｍに貼り付け可能としている。
ただし、この貼付け部２は、医薬品用容器Ｍの円周方向にできるだけ広い領域にこれを貼り付けて、吊下げ荷重に耐え得るだけの貼付け力を保持するために、少なくとも医薬品用容器Ｍの円周長さに近い長さを有することが望ましい。
【００１６】
吊下げ部３は、この貼付け部２の一側に一体にこれを形成するとともに、互いに向かい合わせに貼り合わせ可能な一対の吊下げ片部材７からこれを構成する。
一対の吊下げ片部材７はそれぞれ、貼付け部２を底辺とする台形状にこれを形成している互いに合同な形状であって、貼付け部２から所定の幅で延びる左右一対の支持用傾斜部８と、この支持用傾斜部８の間に延びる吊下げ用水平部９と、を有する。
【００１７】
吊下げ用水平部９の裏面には粘着剤層１０を形成して、この吊下げ用水平部９において一対の吊下げ片部材７を一体化可能とする。
すなわち、一対の吊下げ片部材７は、医薬品用容器Ｍの円周方向において、対角線上で互いに反対位置に位置するような部位の貼付け部２にこれを形成し、吊下げラベル１として医薬品用容器Ｍに貼付け部２を貼り付けた状態で、この一対の吊下げ片部材７が互いに対角線上に対向し、それぞれの粘着剤層１０の部分で貼り合せ、吊下げ用水平部９の領域部分で二層状態に積層可能としてある。
なお、吊下げラベル１の裏面における粘着剤層６および粘着剤層１０に、使用時に剥離可能な剥離紙（図示せず）を積層して、取扱いの便とすることができる。
【００１８】
さらに、貼付け部２と吊下げ部３との間の境界部すなわち、貼付け部２と支持用傾斜部８との間の境界部、および、支持用傾斜部８と吊下げ用水平部９との間の境界部に、わずかな半径の弧状の切欠き部１１を形成することにより、吊下げ時にこの境界部分に応力が集中しないようにしている。
【００１９】
情報表示領域４は、貼付け部２の見やすい位置にこれを形成してあり、医薬品用容器Ｍに容れた医薬品および点滴する患者などを特定するための各種情報を看護師などの作業者が視認可能な文字などにより情報表示領域４により表示する。なお、必要に応じて、この情報表示領域４にバーコードなどによる情報の表示を行うこともできる。
また、任意のプリンター（図示せず）により情報表示領域４に上記各種情報を印字可能とすることができる。
【００２０】
ＲＦＩＤタグ５は、所定の波長を有する電波により非接触でデータの書込みおよび読取りが可能なタグであって、吊下げ部３における左右一対の支持用傾斜部８のいずれかにこれを挟み込むようにして、あるいは任意の粘着剤層により貼り付けるようにして取り付けてある。
図３は、ＲＦＩＤタグ５の概略説明図であって、ＲＦＩＤタグ５は、フィルム状の基板１２と、ＩＣチップ１３と、アンテナ１４と、を有するインレットとしてこれを準備し、ＩＣチップ１３内に所定量のデータを書き込みおよび読み取り可能である。
すなわち、医薬品の名称や属性を特定する特定情報、医薬品を使用する患者の認識情報、およびこの患者の医薬品に対するアレルギー情報その他の関連情報、の少なくともひとつを含む医薬品情報をＲＦＩＤタグ５（ＩＣチップ１３）に書き込み可能としているとともに、ＲＦＩＤリーダー１５（図４）により読み取り可能としている。
したがって、医薬品用容器Ｍ（医薬品）の識別番号などを特定するとともに、患者の認識番号などの各種情報をＲＦＩＤタグ５に書き込み、医薬品用容器Ｍを点滴用として準備したのち、患者に対して点滴を始める前にＲＦＩＤリーダー１５によって上記各種情報読み取り可能として、点滴処置における過誤を防止する。
【００２１】
交信用の電波としては、その周波数がたとえば３ＭＨｚ〜３０ＭＨｚ（好ましくは、１３．５６ＭＨｚ）の短波（ＨＦ）、あるいは３００ＭＨｚ〜３ＧＨｚ（好ましくは８６０〜９６０ＭＨｚ、さらに具体的には９５０〜９５６ＭＨｚ）の極超短波（ＵＨＦ）などを用いることができる。
ただし、ＨＦ帯の電波を用いる場合には、データ読取り書込み装置あるいはＲＦＩＤリーダー１５とＲＦＩＤタグ５との間の電磁誘導作用を利用しており、交信距離の上限は７０ｃｍ程度である。また、ＵＨＦ帯の電波を用いる場合には、データ読取り書込み装置とＲＦＩＤタグ５との間の電波の共振作用を利用しており、交信距離は１〜５ｍ程度であり、それぞれの場合において、アンテナの形状やＩＣチップの具体的構成を適正なものとする。
【００２２】
こうした構成の吊下げラベル１において、前記剥離紙を貼付け部２の粘着剤層６および吊下げ用水平部９の粘着剤層１０から剥がし、医薬品用容器Ｍに貼り付ける。
すなわち、図４は、吊下げラベル１を医薬品用容器Ｍに貼り付けるとともに、吊下げ用フックＨに引っ掛けて医薬品用容器Ｍを逆さに吊り下げた状態を示す斜視図であって、図示のように、貼付け部２を医薬品用容器Ｍの下方円周方向に巻き付けるように貼り付け、その対角線上で互いに対向する部位に位置することになる一対の吊下げ片部材７をその吊下げ用水平部９における粘着剤層１０の部分で互いに向かい合わせるように貼り付けて、互いの吊下げ用水平部９を一体化する。
【００２３】
この状態で、医薬品用容器Ｍを逆さまにひっくり返し、二層状態となった吊下げ用水平部９に吊下げ用フックＨを引っ掛けることにより、スタンドＳにおいて医薬品用容器Ｍを所定の高さに保持することができる。
【００２４】
したがって、必要な点滴を行うことができるとともに、互いに同じ形状および大きさの合計四本の支持用傾斜部８により医薬品用容器Ｍの荷重を均等に分担保持し、かつ、互いに同じ形状および大きさで二層に積層した状態の吊下げ用水平部９により全体を吊り下げ支持するので、吊下げ時の耐久性を充分に確保することができる。
【００２５】
なお、貼付け部２と吊下げ部３との間の境界部、および吊下げ部３における支持用傾斜部８と吊下げ用水平部９との間の境界部に弧状の切欠き部１１を形成してあるので、医薬品用容器Ｍの吊下げによってもこの境界部に応力が集中することがなく、この部分から破断することを防止可能である。
【００２６】
看護師などの作業者は、実際の点滴作業を始める前にＲＦＩＤリーダー１５により、ＲＦＩＤタグ５におけるＩＣチップ１３のデータを読み取って、患者および医薬品を特定ないし確認し、当該医薬品の使用の是非ないし安全性を確認する。
ＲＦＩＤタグ５は、従来のバーコードなどに比較して、より多くのデータを保存可能であり、患者の認識情報として、そのアレルギー情報なども記憶可能であって、使用予定の医薬品の適正さおよび安全性をより確実に確認することができる。
【００２７】
さらに、ＲＦＩＤタグ５は、液体の医薬品を容れた医薬品用容器Ｍに直接接触している貼付け部２からは所定間隔だけ離れた吊下げ部３（支持用傾斜部８）に設けられているので、液体と交信用電波との間の相互作用を受けることなく、すなわち、ＲＦＩＤリーダ１５との間の交信特性を低下させることなく、ＲＦＩＤタグ５のデータを的確に読み取り可能である。
【００２８】
なお、吊下げ部３（一対の合同な吊下げ片部材７）の形状としては、上述の実施例におけるように台形以外にも、円形、楕円形、その他任意の形状を採用可能である。
【図面の簡単な説明】
【００２９】
【図１】本発明の実施例による吊下げラベル１の平面図である。
【図２】同、吊下げラベル１の裏面図である。
【図３】同、ＲＦＩＤタグ５の概略説明図である。
【図４】同、吊下げラベル１を医薬品用容器Ｍに貼り付けるとともに、吊下げ用フックＨに引っ掛けて医薬品用容器Ｍを逆さに吊り下げた状態を示す斜視図である。
【符号の説明】
【００３０】
１  吊下げラベル（実施例、図１）
２  貼付け部
３  吊下げ部
４  貼付け部２における情報表示領域
５  吊下げ部３に設けたＲＦＩＤタグ（図３）
６  貼付け部２の粘着剤層
７  一対の合同な吊下げ片部材
８  吊下げ片部材７における左右一対の支持用傾斜部
９  吊下げ片部材７における吊下げ用水平部
１０  吊下げ用水平部９の粘着剤層
１１  弧状の切欠き部
１２  ＲＦＩＤタグ５の基板
１３  ＩＣチップ
１４  アンテナ
１５  ＲＦＩＤリーダー（図４）
Ｍ    医薬品用容器（図４）
Ｈ    吊下げ用フック
Ｓ    スタンド
【図１】
2008109965.tif 000003
【図２】
2008109965.tif 000004
【図３】
2008109965.tif 000005
【図４】
2008109965.tif 000006